(57)【要約】【課題】  スミアの発生を抑制しつつ、ブラックインクによって記録される網掛け部分（均一ハーフトーン領域）のような記録デューティの変化率が比較的小さい記録領域の濃度ムラの発生を低減し、かつ高品位な黒文字等の記録が可能なインクジェット記録装置およびインクジェット記録方法を提供すること。【解決手段】  ブラック高デューティマトリクスの検出処理Ｅ１０００によって、ブラックドットが比較的高デューティに形成される記録領域を検出し、ブラック均一ハーフトーンマトリクスの検出処理Ｅ１００１によって、ブラックドットの記録デューティの変化率が比較的少ない記録領域を検出し、それらの検出情報Ｄ１００８，Ｄ１００９に基づいて、カラードットを付与するためのデータを生成する。【選択図】  図１
2005254517.tif 000002
【特許請求の範囲】
【請求項１】
ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、
前記ブラックデータに基づいて、前記被記録媒体上の単位記録領域におけるブラックドットの形成数が第１の閾値以上である第１記録領域を検出する第１検出手段と、
前記ブラックデータに基づいて、近接する前記単位記録領域間におけるブラックドットの形成数の差が第２の閾値未満である第２記録領域を検出する第２検出手段と、
前記第１記録領域に対応する前記ブラックデータと前記第２記録領域に対応する前記ブラックデータに基づいて、前記第１記録領域内と前記第２記録領域内に前記カラードットを付与するための第１付与データを生成する第１付与データ生成手段と、
前記カラーデータに、前記第１付与データを反映させて記録用カラーデータを生成する記録用カラーデータ生成手段と、
前記ブラックデータおよび前記記録用カラーデータに基づいて前記記録ヘッドを制御することにより記録を行う制御手段と、
を備えることを特徴とするインクジェット記録装置。
【請求項２】
前記第１検出手段は、前記ブラックデータに基づいて、Ｌ画素×Ｍ画素（Ｌ，Ｍは１以上の自然数）の単位記録領域内に形成される前記ブラックドットの数をカウントし、そのカウント数が前記第１の閾値以上の前記単位記録領域を前記第１記録領域とすることを特徴とする請求項１に記載のインクジェット記録装置。
【請求項３】
前記第２検出手段は、前記ブラックデータに基づいて、Ｌ画素×Ｍ画素（Ｌ，Ｍは１以上の自然数）の単位記録領域内に形成される前記ブラックドットの数をカウントし、少なくとも１つの隣接する単位記録領域との前記ドット数の差分が前記第２の閾値未満の単位記録領域を前記第２記録領域とすることを特徴とする請求項１または２に記載のインクジェット記録装置。
【請求項４】
前記第２検出手段によって単位記録領域毎に検出される複数の前記第２記録領域それぞれについて、その周辺の領域内に存在する前記第２記録領域の数が第３の閾値よりも少ないかどうかを判断し、当該第３の閾値よりも少ないと判断された第２記録領域を前記複数の第２記録領域の中から除去する領域除去手段と、
前記領域除去手段により領域が除去されることで得られる第３記録領域を第４記録領域まで拡張する領域拡張手段と、
を備え、
前記第１付与データ生成手段は、前記第１記録領域に対応する前記ブラックデータと前記第４記録領域に対応する前記ブラックデータに基づいて、前記第１記録領域内と前記第４領域内に前記カラードットを付与するための付与データを生成する
ことを特徴とする請求項１から３のいずれかに記載のインクジェット記録装置。
【請求項５】
前記第２検出手段は、所定の単位記録領域毎に前記第２記録領域であるか否かを検出し、
前記領域除去手段は、着目する前記第２記録領域を含む前記単位記録領域のＡ×Ｂ（Ａ，Ｂは１以上の自然数）の範囲内における前記第２記録領域の数が前記第３の閾値未満であるときに、前記第２検出手段によって検出される前記第２記録領域の中から、前記着目の第２記録領域を除去する
ことを特徴とする請求項４に記載のインクジェット記録装置。
【請求項６】
前記第２検出手段は、所定の単位記録領域毎に前記第２記録領域であるか否かを検出し、
前記領域拡張手段は、前記第３記録領域を少なくとも上下左右の内の１方向に前記単位記録領域の１つ分以上拡張して前記第４記録領域とする
ことを特徴とする請求項４または５に記載のインクジェット記録装置。
【請求項７】
前記第４記録領域の外側の記録領域における前記ブラックドットの数に応じて、前記第４記録領域を上下方向または左右方向の内の少なくとも１方向に広げて第５記録領域とする伝播処理手段を備える
ことを特徴とする請求項６に記載のインクジェット記録装置。
【請求項８】
前記カラーデータに基づいて、前記カラードットが形成される記録領域およびそれに隣接する記録領域を第６記録領域として検出する第３検出手段と、
前記第６記録領域に対応する前記ブラックデータに基づいて、前記第６記録領域内に前記カラードットを付与するための第２付与データを生成する第２付与データ生成手段と、
を備え、
前記記録用カラーデータ生成手段は、前記カラーデータに、前記第１付与データおよび前記第２付与データを反映させて前記記録用カラーデータを生成する
ことを特徴とする請求項１から７のいずれかに記載のインクジェット記録装置。
【請求項９】
前記第３検出手段は、前記カラーデータに基づいて、Ｌ画素×Ｍ画素（Ｌ，Ｍは１以上の自然数）の単位記録領域内に形成される前記カラードットの数をカウントし、そのカウント数が第４の閾値以上の前記単位記録領域およびそれに隣接する前記単位記録領域を前記第６記録領域として検出することを特徴とする請求項８に記載のインクジェット記録装置。
【請求項１０】
前記第２付与データ生成手段は、前記第６記録領域に対応する前記ブラックデータと、カラードット付与用の第２マスクとの論理積をとることによって前記第２付与データを生成することを特徴とする請求項９に記載のインクジェット記録装置。
【請求項１１】
前記カラーインクは異なる色の複数のインクであり、前記第２マスクは、前記複数のカラーインクのインク色毎に対応して備えることを特徴とする請求項１０に記載のインクジェット記録装置。
【請求項１２】
前記第１付与データ生成手段は、前記第１記録領域と前記第２記録領域に対応する前記ブラックデータと、カラードット付与用の第１マスクとの論理積をとることによって前記第１付与データを生成することを特徴とする請求項１から１１のいずれかに記載のインクジェット記録装置。
【請求項１３】
前記カラーインクは異なる色の複数のインクであり、前記第１マスクは、前記複数のカラーインクのインク色毎に対応して備えることを特徴とする請求項１１に記載のインクジェット記録装置。
【請求項１４】
前記記録用カラーデータ生成手段は、前記カラーデータと前記第１付与データと前記第２付与データとの論理和をとることによって前記記録用カラーデータを生成することを特徴とする請求項８から１３のいずれかに記載のインクジェット記録装置。
【請求項１５】
前記カラーインクは、イエロー、マゼンタ、シアンのインクを含むことを特徴とする請求項１から１４のいずれかに記載のインクジェット記録装置。
【請求項１６】
前記第３検出手段は、前記イエローインクを吐出させるためのイエローデータ、前記マゼンタインクを吐出させるためのマゼンタデータ、および前記シアンインクを吐出させるためのシアンデータに基づいて、前記イエローインク、前記マゼンタインク、および前記シアンインクによってドットが形成される記録領域およびそれに隣接する記録領域を第６記録領域として検出することを特徴とする請求項１５に記載のインクジェット記録装置。
【請求項１７】
前記ブラックインクは浸透性が比較的低いインクであり、前記カラーインクは浸透性が比較的高いインクであることを特徴とする請求項１から１６のいずれかに記載のインクジェット記録装置。
【請求項１８】
前記カラーインクの少なくとも１つは、前記ブラックインクの色材を凝集させる成分を含むことを特徴とする請求項１から１７のいずれかに記載のインクジェット記録装置。
【請求項１９】
前記成分を含むカラーインクはシアンインクであることを特徴とする請求項１８に記載のインクジェット記録装置。
【請求項２０】
ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、
前記ブラックデータに基づき、単位記録領域におけるブラックドットの形成量に関する情報を取得し、当該形成量に関する情報に基づいて第１記録領域を検出する第１検出手段と、
前記ブラックデータに基づき、近接する単位記録領域同士におけるブラックドットの形成量の相対差に関する情報を取得し、当該形成量の相対差に関する情報に基づいて第２記録領域を検出する第２検出手段と、
前記第１記録領域に対応する前記ブラックデータと前記第２記録領域に対応する前記ブラックデータに基づいて、前記第１記録領域内と前記第２記録領域内に前記カラードットを付与するための第１付与データを生成する第１付与データ生成手段と、
前記カラーデータに、前記第１付与データを反映させて記録用カラーデータを生成する記録用カラーデータ生成手段と、
前記ブラックデータおよび前記記録用カラーデータに基づいて前記記録ヘッドを制御することにより記録を行う制御手段と、
を備えることを特徴とするインクジェット記録装置。
【請求項２１】
ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録方法において、
前記ブラックデータに基づいて、前記ブラックドットが比較的高デューティで形成される第１記録領域を検出し、
前記ブラックデータに基づいて、前記ブラックドットの記録デューティの変化度合いが比較的小さい第２記録領域を検出し、
前記第１記録領域に対応する前記ブラックデータと前記第２記録領域に対応する前記ブラックデータに基づいて、前記第１記録領域内と前記第２記録領域内に前記カラードットを付与するための第１付与データを生成し、
前記カラーデータに、前記第１付与データを反映させて記録用カラーデータを生成し、
前記ブラックデータおよび前記記録用カラーデータに基づいて前記記録ヘッドを制御することにより記録を行う
ことを特徴とするインクジェット記録方法。
【発明の詳細な説明】
【技術分野】
【０００１】
本発明は、ブラックインクと少なくとも１つのカラーインクを吐出可能な記録ヘッドを用いて記録を行うインクジェット記録装置およびインクジェット記録方法に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として広く応用され、かつ商品化されている。
【０００３】
一般のシリアルスキャンタイプのインクジェット記録装置は、記録手段としての記録ヘッドおよびインクタンクを搭載するキャリッジと、被記録媒体を搬送する搬送手段と、これらを制御するための制御手段と、を備えている。そして、複数の吐出口からインク滴を吐出可能な記録ヘッドを被記録媒体の搬送方向（副走査方向）と直交する方向（主走査方向）にシリアルスキャンさせる動作と、被記録媒体を記録幅に等しい量搬送する動作と、を繰り返すことにより、被記録媒体の記録領域に画像を記録する。このような記録方法は、記録信号に基づいて被記録媒体上にインクを吐出して記録を行うものであり、ランニングコストが安く、静かな記録方式として広く用いられている。また近年では、複数色のインクを用い、カラー画像の記録装置に応用した製品も数多く実用化されている。
【０００４】
このようなカラーインクジェット記録装置において用いられるブラックインクは、文字等の記録に多用されることから、記録画像のシャープさ鮮明さおよび高い記録濃度を実現することが要求される。そこで、被記録媒体に対するブラックインクの浸透性を下げて、ブラックインク中の色材が被記録媒体内へ浸透することを抑制する技術が知られている。
【０００５】
一方、ブラックインク以外のカラーインクは、異なる色の２種のインクが隣接して被記録媒体上に付与されたときに、それらのインクの付与部分の境界部にてインク同士が混ざり合って、カラー画像の記録品位を低下させる現象（境界ブリーディング）が発生するおそれがある。これを防ぐために、被記録媒体に対するカラーインクの浸透性を上げて、カラーインク同士が被記録媒体の表面上で混ざり合うことを防止する技術が知られている（例えば、特許文献１参照）。
【０００６】
しかしながら、このような低浸透性のブラックインクと高浸透性のカラーインクを用いた場合には、以下のような２つの問題が発生する。
【０００７】
第１に、カラーインクは浸透性が高いため定着時間が早いものの、ブラックインクは浸透性が低いため乾燥定着時間が長くかかる。そのため、被記録媒体としての複数ページの記録用紙に連続的に記録をする場合に、先に記録されたページが排紙された後、そのページの上に、次に記録されたページを重ねて排紙したときに、前のページに付与されたブラックインクが完全に乾いていないため、前のページの記録面と次のページの記録用紙の裏面がすれて汚れてしまうおそれがある。このような記録用紙の記録面と裏面の汚れは、「スミア」と称される。このような問題は、記録速度の向上に伴って顕著に現れる。
【０００８】
第２に、ブラックインクは浸透性が低いため、被記録媒体上のブラックインクとカラーインクの付与部分の境界領域において、にじみ（境界ブリーディング）が発生するおそれがある。これはカラー画像の記録品位を著しく低下させることになる。
【０００９】
これら２つの問題の解決策として、従来から以下のような第１〜第３の対策がとられている。
【００１０】
まず、第１の対策は、加熱定着器等のインクの定着手段を用いる方法である。この方法より、被記録媒体にインクを高速に定着させて、スミアおよび境界ブリーディングを抑制することが可能となる（例えば、特許文献１参照）。しかしながら、この第１の対策では、定着手段を設けるために、装置の大型化およびコストの増大が避けられない。また、シリアルプリンタにおいては、被記録媒体の送り動作が間欠的であるため、それを定着器内に通す際に送りムラが生じてしまうおそれがある。
【００１１】
次に、第２の対策は、被記録媒体としての記録用紙の排紙待ち制御を行う方法である。この方法は、1枚目の記録用紙に画像が記録されてインクが十分に乾燥するまでの間、２枚目の記録用紙に対する記録開始を一時停止、または２枚目の記録用紙に画像を記録した後に、その記録用紙の排紙動作を一時停止するものである。この方法により、スミアの発生を抑えることができる。しかしながら、この第２の対策では、被記録媒体の排紙待ちをするため、スループットの低下を招く。
【００１２】
最後に、第３の対策は、浸透性の高いカラーインクをブラックインクの付与領域に重ねて付与する方法である。カラーインクが付与された紙面上にブラックインクを付与することにより、ブラックインクが紙面に定着しやすくなり、スミアを抑えることができる。さらに、ブラックインクとカラーインクとが反応して凝集するタイプのインクセットを用いることにより、境界ブリーディングを抑えることができる（例えば、特許文献２参照）。この特許文献２に記載の対策によれば、装置の大型化やスループットの低下を招かずに、スミアや境界ブリーディングを抑制できる。
【００１３】
【特許文献１】特開平７−４７７６２号公報
【特許文献２】特開２００３−１５９８２７号公報
【発明の開示】
【発明が解決しようとする課題】
【００１４】
しかしながら、上述した特許文献２に記載の方法においては、図２９のような不具合が生じるおそれがあった。  
すなわち、特許文献２では、図２９に示されるように被記録媒体上の領域を所定の小検出領域に分け、その小検出領域毎におけるブラックインクのドット密度を検出し、そのドット密度が所定の閾値を超えた小検出領域に対してカラーインクを付与するようにしている。より詳しく述べると、図２９のように、被記録媒体に対して、ブラックインクによって記録される文字部分、網掛け部分、およびべた部分を含む画像を記録する場合には、小検出領域の大きさに検出マトリクス１０００がマトリクスＭ１〜Ｍ５のように設定され、それらのマトリクス毎におけるブラックインクのドット密度が検出されることになる。文字部分は、文字データ１００１に基づいてブラックドットが形成される領域、網掛け部分は、網掛けデータ１００２に基づいてブラックドットが形成される均一ハーフトーン領域、べた部分は、Ｂｋインクのべたデータ（Ｂｋべたデータ）１００３に基づいてブラックドットが高デューティに形成される領域である。マトリクスＭ１〜Ｍ３を含む領域は、ブラックインクのドット密度が比較的低いために、カラードットを付与しない領域、つまりカラードットの非重ね打ち領域１００４となる。また、マトリクスＭ４，Ｍ５を含む領域は、ブラックインクのドット密度が比較的高いために、カラードットを付与する領域、つまりカラードットの重ね打ち領域１００５となる。
【００１５】
網掛け部分に関しては、カラードットが重ね打ちされない領域Ａ１（マトリクスＭ３を含む領域）と、カラードットが重ね打ちされる領域Ａ２（マトリクスＭ４を含む領域）と、が混在することになる。そのため、網掛け部分に濃度ムラが発生するおそれがある。特に、網掛け部分は、それを記録するブラックインクのドット密度が比較的低いため、カラードットの重ね打ちの有無によって濃度や色味が変化しやすく、濃度ムラが発生しやすい。
【００１６】
本発明の目的は、スミアの発生を抑制しつつ、ブラックインクによって記録される網掛け部分（均一ハーフトーン領域）のような記録デューティの変化率が比較的小さい記録領域の濃度ムラの発生を低減し、かつ高品位な黒文字等の記録が可能なインクジェット記録装置およびインクジェット記録方法を提供することにある。
【課題を解決するための手段】
【００１７】
本発明のインクジェット記録装置は、ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、前記ブラックデータに基づいて、前記被記録媒体上の単位記録領域におけるブラックドットの形成数が所定数以上である第１記録領域を検出する第１検出手段と、前記ブラックデータに基づいて、近接する前記単位記録領域間におけるブラックドットの形成数が所定数未満である第２記録領域を検出する第２検出手段と、前記第１記録領域に対応する前記ブラックデータと前記第２記録領域に対応する前記ブラックデータに基づいて、前記第１記録領域内と前記第２記録領域内に前記カラードットを付与するための第１付与データを生成する第１付与データ生成手段と、前記カラーデータに、前記第１付与データを反映させて記録用カラーデータを生成する記録用カラーデータ生成手段と、前記ブラックデータおよび前記記録用カラーデータに基づいて前記記録ヘッドを制御することにより記録を行う制御手段と、を備えることを特徴とする。
【００１８】
本発明のインクジェット記録装置は、ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、前記ブラックデータに基づき、単位記録領域におけるブラックドットの形成量に関する情報を取得し、当該形成量に関する情報に基づいて第１記録領域を検出する第１検出手段と、前記ブラックデータに基づき、近接する単位記録領域同士におけるブラックドットの形成量の相対差に関する情報を取得し、当該形成量の相対差に関する情報に基づいて第２記録領域を検出する第２検出手段と、前記第１記録領域に対応する前記ブラックデータと前記第２記録領域に対応する前記ブラックデータに基づいて、前記第１記録領域内と前記第２記録領域内に前記カラードットを付与するための第１付与データを生成する第１付与データ生成手段と、前記カラーデータに、前記第１付与データを反映させて記録用カラーデータを生成する記録用カラーデータ生成手段と、前記ブラックデータおよび前記記録用カラーデータに基づいて前記記録ヘッドを制御することにより記録を行う制御手段と、を備えることを特徴とする。
【００１９】
本発明のインクジェット記録方法は、ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録方法において、前記ブラックデータに基づいて、前記ブラックドットが比較的高デューティで形成される第１記録領域を検出し、前記ブラックデータに基づいて、前記ブラックドットの記録デューティの変化度合いが比較的小さい第２記録領域を検出し、前記第１記録領域に対応する前記ブラックデータと前記第２記録領域に対応する前記ブラックデータに基づいて、前記第１記録領域内と前記第２記録領域内に前記カラードットを付与するための第１付与データを生成し、前記カラーデータに、前記第１付与データを反映させて記録用カラーデータを生成し、前記ブラックデータおよび前記記録用カラーデータに基づいて前記記録ヘッドを制御することにより記録を行うことを特徴とする。
【発明の効果】
【００２０】
本発明によれば、ブラックドットが比較的高デューティに形成される記録領域と、ブラックドットの記録デューティの変化度合いが比較的少ない記録領域に対して、カラードットを付与することにより、スミアの発生を防止もしくは低減すると共に、カラードットを付与した部分と付与しない部分との間において比較的大きな濃度ムラが発生しやすい画像（例えば、網掛けパターン）の濃度ムラを防止もしくは低減して、記録品位を向上させることができる。また、黒文字等の記録領域に対しては、カラードットを付与しないようにして、シャープな黒画像を記録することができる。
【発明を実施するための最良の形態】
【００２１】
以下、図面を参照して本発明の実施形態を説明する。以下の実施形態は、インクジェット記録方式の記録装置に対する適用例である。
【００２２】
[第１の実施形態]
図２６から図２８は、本発明を適用可能なインクジェット記録装置の構成例を説明するための図、図１から図９は、本発明の第１の実施形態を説明するための図である。
【００２３】
（記録装置の構成例）
図２６は、本発明を適用可能なカラーインクジェット記録装置の構成例を示す概略斜視図である。
【００２４】
この図において、２０２は４つのインクカートリッジである。これらは、４色のインク（ブラック（Ｂｋ）、シアン（Ｃ）、マゼンタ（Ｍ）、イエロー（Ｙ））がそれぞれ入れられたインクタンクと、それらのインクを吐出可能な記録ヘッド２０１と、から構成されている。記録ヘッド２０１の構成については後述する。１０３は紙送りローラであり、補助ローラ１０４と共に被記録媒体としての記録用紙１０７を抑えながら図中の矢印方向に回転して、記録用紙１０７の矢印Ｂ方向（副走査方向）への給紙を行う。これらのローラ１０３および１０４と同様に、ローラ１０５も記録用紙１０７を抑える役割を果たしている。１０６はキャリッジであり、４つのインクカートリッジ２０２を搭載して、それらのインクカートリッジ２０２と共に矢印Ａの主走査方向に移動させる。キャリッジ１０６は、記録装置が記録を行っていないとき、あるいは記録ヘッドの回復動作を行うときは、図中点線の位置（ホームポジション）ｈに待機するように制御される。
【００２５】
記録開始前、キャリッジ１０６はホームポジションｈに位置する。そして記録開始命令により、キャリッジ１０６を矢印Ａの主走査方向に移動させながら、記録ヘッド２０１に設けられた記録素子を駆動してインクを吐出させることにより、記録ヘッド２０１の記録幅に対応した記録用紙１０７上の領域に記録を行う。キャリッジ１０６の主走査方向に沿って、記録用紙１０７上の記録領域の端部までの記録走査が終了すると、キャリッジ１０６は元のホームポジションｈに戻り、再び主走査方向への記録走査を行う。前回の記録走査が終了してから、次の記録走査が始まる前に、紙送りローラ１０３が矢印方向へ回転して、必要な幅だけ記録用紙１０７を復走査方向へ紙送りする。このような記録走査と紙送りとを繰り返すことにより、記録用紙１０７上への記録が完成する。記録ヘッド２０１からインクを吐出する記録動作は、記録制御手段（不図示）からの制御に基づいて行われる。
【００２６】
また、記録速度を高めるため、キャリッジ１０６の往方向の走査時のみに記録を行うのではなく、キャリッジ１０６がホームポジションｈ側へ戻る復方向の移動時においても記録を行う構成、つまり双方向記録が可能な構成であってもよい。
【００２７】
また、インクカートリッジ２０２は、記録用のインクを収容するインクタンクと、記録用紙１０７に向けてインクを吐出する記録ヘッド２０１と、が一体になったインクジェットカートリッジを構成するものであってもよい。また、インクタンクと記録ヘッド２０１は、分離可能にキャリッジ１０６に保持されるものであってもよい。さらに、１つの記録ヘッドから複数色のインクの吐出が可能に構成された記録ヘッド２０１を用いてもよい。
【００２８】
また、前述の回復動作を行う位置には、記録ヘッド２０１の前面（インク吐出口の形成面）をキャップするキャッピング手段（不図示）、およびキャッピング手段によるキャップ状態において、記録ヘッド２０１内の増粘インクや気泡を除去する等のヘッド回復動作を行う回復ユニット（不図示）が設けられている。また、キャッピング手段の側方には、クリーニングブレード（不図示）等が記録ヘッド２０１に向けて突出可能に支持されており、そのクリーニングブレードと記録ヘッドの前面との摺接が可能となっている。回復動作後に、クリーニングブレードを記録ヘッドの移動経路中に突出させて、そして記録ヘッドを移動させることにより、その記録ヘッドの移動に伴って、記録ヘッドの前面に付着した不要なインク滴や汚れ等を払拭する。
【００２９】
（記録ヘッドの構成例）
図２７は、記録ヘッド２０１の構成例を説明するための要部斜視図である。  
本例の記録ヘッド２０１には、複数の吐出口３００が所定のピッチで形成されており、共通液室３０１と各吐出口３００との間は各液路３０２によって連結されている。各液路３０２の壁面に沿って、インク吐出用のエネルギーを発生するための記録素子３０３が配設されている。本例の記録素子は、熱エネルギーを発生するためのヒータ（電気熱変換体）である。記録素子３０３とその駆動回路は、シリコン上に半導体製造技術を利用して作られている。また、温度センサ（不図示）およびサブヒータ（不図示）も、同一シリコン上に半導体製造プロセスと同様のプロセスによって一括形成される。これらの電気配線が作られたシリコンプレート３０８は、放熱用のアルミベースプレート３０７に接着されている。また、シリコンプレート３０８上の回路接続部３１１とプリント板３０９は超極細ワイヤー３１０によって接続されており、記録装置本体からの信号は信号回路３１２を通して入力する。
【００３０】
液路３０２および共通液室３０１は、射出成形されたプラスチックカバー３０６によって形成されている。共通液室３０１は、ジョイントパイプ３０４とインクフィルター３０５を介して、前述したインクタンク（図２６参照）と連結しており、インクタンクからインクが共通液室３０１に供給される。インクタンクから共通液室３０１に供給されて一時的に貯えられたインクは、毛管現象により液路３０２に浸入し、吐出口３００にてメニスカスを形成して、液路３０２内を満たされる。そして、電極（不図示）を介して記録素子３０３としてのヒータが通電されて、それが発熱することにより、その記録素子３０３上のインクが急激に加熱されて液路３０２内に気泡が発生する。この気泡の膨張により、吐出口３００からインク滴３１３が吐出される。
【００３１】
（インクの特性）
本実施形態で適用するブラック（Ｋ）インクは所定の浸透性を有し、シアン（Ｃ）、マゼンタ（Ｍ）およびイエロー（Ｙ）のカラーインクは所定の浸透性よりも高い浸透性を有している。このインク特性によれば、高浸透性のカラーインクと同じ領域に付与される低浸透性のブラックインクは、その浸透速度が向上し、ブラックインクが記録媒体内部へ速やかに浸透していくため、スミアが抑制される。
【００３２】
但し、ブラックインクの浸透性が向上すると、ブラックインクの溶媒成分のみならず色材成分までが記録媒体内部へ高速且つ多量に浸透し、ブラック画像の濃度低下を招く傾向にある。そこで、本実施形態では、ブラック画像の濃度低下を軽減するべく、ブラックインクの色材を凝集させる成分をシアン（Ｃ）インクに含ませるようにしている。このインク構成によれば、ブラックインクの色材を瞬時に凝集させ、その凝集物を記録媒体の表面に多く残せるので、ブラック画像の濃度を低下させずに済む。
【００３３】
以上述べたように本実施形態では、低浸透性のブラックインクと、高浸透性のシアン、マゼンタ、イエローのカラーインクを用い、更にシアンインクにはブラックインクの色材を凝集させる成分を含ませているので、ブラック画像の濃度低下を招かずにしてブラック画像を高速に定着させることができ、その結果、スミアを効果的に抑制できる。
【００３４】
なお、浸透性の高低は、アセチレノール（アセチレノールは川研ファインケミカル社の商品名；アセチレングリコールにエチレンオキサイドを付加したものであり、エチレンオキサイド−２，４，７，９−テトラメチル−５−デシン−４，７−ジオール（ethylene oxide-2,4,7,9-tetramethyl-5-decyne-4,7-diol）で表される）等に代表される界面活性剤の含有量を変えることで調整可能である。界面活性剤の含有量を多くすることにより浸透性を高めることができる。従って、本例では、界面活性剤の含有率を、ブラックインクよりもカラーインクの方で高くしている。
【００３５】
また、ブラックインクの色材を凝集させる成分としては多価金属塩が好適に用いられる。多価金属塩は、二価以上の多価金属イオンとこれら多価金属イオンに結合する陰イオンとから構成される。多価金属イオンの具体例としては、Ｃａ２＋、Ｃｕ２＋、Ｎｉ２＋、Ｍｇ２＋、Ｚｎ２＋等の二価金属イオン、そしてＦｅ３＋、Ａｌ３＋等の三価金属イオンが挙げられる。又、陰イオンとしては、Ｃｌ−、ＮＯ３−、ＳＯ４２−等が挙げられる。
【００３６】
（記録装置における制御系の構成例）
図２８は、記録装置における制御系の構成例を説明するためのブロック図である。  
４００は記録信号を入力するインターフェ−ス、４０１はＭＰＵ、４０２はＭＰＵ４０１が実行する制御プログラムを格納するプログラムＲＯＭである。ＭＰＵ４０１は、後述するようなデータの処理を実行する。４０３は、各種データ（記録信号や記録ヘッド２０１に供給される記録データ等）を保存しておくダイナミック型のＲＡＭ（ＤＲＡＭ）であり、記録ドット数や、インクタンクや記録ヘッド２０１の交換回数等も記憶することができる。４０４は、記録ヘッド２０１に対する記録データの供給制御を行うゲートアレイであり、インターフェース４００、ＭＰＵ４０１、およびＤＲＡＭ４０３間のデータの転送制御も行う。４００は、不図示のホストコンピュータ（ホスト装置）に接続される。このホストコンピュータから、記録装置によって記録するための画像データを入力することができる。４０５は、記録ヘッド２０１を搬送するためのキャリアモータ（ＣＲモータ）、４０６は、記録用紙１０７の搬送用駆動源としての搬送モータ（ＬＦモータ）である。４０７および４０８は、それぞれ搬送モータ４０５およびキャリアモータ４０６を駆動するためのモータドライバである。４０９は、記録ヘッド２０１を駆動するためのヘッドドライバである。
【００３７】
(データ処理系の構成例)
図１は、後述するブラック高デューティマトリクスの検出処理Ｅ１０００、ブラック均一ハーフトーンマトリクスの検出処理Ｅ１００１、カラードット付与データの生成処理Ｅ１、および記録用データの生成処理Ｅ２を説明するためのブロック図である。
【００３８】
この図１において、オリジナルのＢｋデータＤ１０００は、ホストコンピュータから入力された多値データに対して２値化処理を施し得られた２値データあるいはホストコンピュータから直接入力された２値データであり、対応する記録ヘッド２０１からブラック（Ｂｋ）のインクを吐出するか否か、つまりブラックインクのドットを形成するか否かに対応する”１”，”０”のデータである。本例の場合、オリジナルＢｋデータＤ１０００は、そのまま実際の記録に用いられるＢｋデータＤ１００４となる。以下においては、これらのＢｋデータＤ１０００，Ｄ１００４をブラックドットデータともいう。また、オリジナルのＣ，Ｍ，およびＹデータＤ１００１，Ｄ１００２およびＤ１００３は、後述するような２ビットのインデックス形式の多値データであり、記録時に、記録ヘッド２０１の解像度に合わせて展開される。以下においては、これらのＣ，Ｍ，およびＹデータＤ１００１〜Ｄ１００３，Ｄ１００５〜Ｄ１００７をカラードットデータともいう。
【００３９】
（ブラック高デューティマトリクスの検出処理Ｅ１０００）
図２は、スミアを防止あるいは軽減するためにカラードットを付与する領域として、ブラック高デューティマトリクスを検出するブラック高デューティマトリクス検出処理Ｅ１０００を説明するためのフローチャートである。ここでは、ブラックデータに基づき、単位記録領域におけるブラックドットの形成量に関する情報（ドット数やデューティ等の情報）を取得し、その情報に基づいて第１記録領域であるブラック高デューティ領域を検出する。
【００４０】
まず、６４（画素）×３２（画素）のマトリクスに着目し、その着目マトリクス内に形成すべきブラックインクのドット（以下、「ブラックドット」ともいう）の数をカウントする（ステップＳ１０１）。すなわち、オリジナルＢｋデータＤ１０００（図１参照）に基づいて、着目マトリクス内に形成されるブラックドットの数をカウントする。
【００４１】
続いて、ブラックドットのカウント値が７５８以上であるか否か、つまり記録デューティが約３７％（＝７５８／（６４×３２））以上であるか否かを判定する（ステップＳ１０２）。ブラックドット数が７５８以上の場合には、その着目マトリクスに対応するブラック高デューティマトリクス情報（ビット情報）Ｄ１００８（図１参照）を”１”にする（ステップＳ１０３）。ブラックドット数のカウント値が７５８未満の場合には、その着目マトリクスに対応するブラック高デューティマトリクス情報Ｄ１００８を”０”にする（ステップＳ１０４）。続いて、オリジナルＢｋデータＤ１０００（図１参照）における着目マトリクスの位置をシフトさせ（ステップＳ１０５）、全ての着目マトリクスについての処理が終了したか否かを判定する（ステップＳ１０６）。オリジナルＢｋデータＤ１０００における全ての着目マトリクスについての検出処理Ｅ１０００が終了していなければ先のステップＳ１０２に戻り、それが終了すれば検出処理Ｅ１０００を終了する（ステップＳ１０７）。
【００４２】
ブラックドット数の閾値は７５８のみに特定されず、インクの特性や記録装置の特性に合わせて最適な値に設定することができる。
【００４３】
図３（ａ），（ｂ），（ｃ）は、ブラック高デューティマトリクス検出処理Ｅ１０００の具体的な説明図である。
【００４４】
図３（ａ）は、６４画素×３２画素で構成される着目マトリクスを表している。黒文字のように、インクが付与されるべた部と、インクが付与されない空白部とがはっきりとした画像においては、マトリクスサイズを小さくし過ぎると、ブラック高デューティマトリクス情報Ｄ１００８の”１”，”０”に応じてカラードットを付与するか否かの応答性が良くなり過ぎる。そのため、小さな文字であってもカラードットが付与されてしまい、文字のシャープさを保つことができなくなるおそれがある。逆に、マトリクスサイズを大きくし過ぎると、カラードットを付与するか否かの応答性が悪くなり、所望のカラードットが付与されなくなって、スミアの発生を招くおそれがある。したがって着目マトリクスは、インクシステムや記録装置の特性に応じて適切なサイズに設定する。
【００４５】
図３（ｂ）は、ＢｋデータＤ１０００（図１参照）の各着目マトリクス内におけるブラックドット数のカウント値の説明図であり、そのカウント値が７５８以上のマトリクス部分には斜線を付している。図３（ｃ）は、ブラック高デューティマトリクス検出処理Ｅ１０００の結果として得られたブラック高デューティマトリクス情報Ｄ１００８の説明図である。前述したように、着目マトリクスの位置を横方向および縦方向にシフトさせながら、ブラックドット数のカウント値が７５８以上の着目マトリクスに対応するビットに”１”をセットし、７５８未満のマトリクスに対応するビットには”０”をセットする。したがって、ブラック高デューティマトリクス情報Ｄ１００８は、図３（ｃ）のようなビットマップ情報となる。
【００４６】
（ブラック均一ハーフトーンマトリクスの検出処理Ｅ１００１）
図４は、ブラック均一ハーフトーントリクス検出処理Ｅ１００１を説明するためのフローチャートである。この検出処理Ｅ１００１は、ブラックインクによって記録される網掛け（均一ハーフトーン）のように、ブラックドットの記録デューティの変化度合いが比較的小さい領域（均一ハーフトーン領域）を検出する処理である。詳しくは、ブラックデータに基づき、近接する単位記録領域同士におけるブラックドットの形成量の相対差に関する情報（ドット数やデューティの差に関する情報）を取得し、その情報に基づいて第２記録領域である均一ハーフトーン領域を検出する。そして、後述するように、この検出処理Ｅ１００１よって検出した均一ハーフトーン領域にカラードットを付与することにより、その均一ハーフトーン領域における色むらの発生を低減する。
【００４７】
図５（ａ），（ｂ）は、着目マトリクスＡと、その着目マトリクスＡの上下左右に位置する４つの近接マトリクスＢ，Ｃ，Ｄ，Ｅを表した図である。
【００４８】
まず、着目マトリクスＡ内に形成すべきブラックドットのカウント値ＤＡと、近接マトリクスＢ，Ｃ，Ｄ，Ｅ内に形成すべきブラックドットのカウント値ＤＢ，ＤＣ，ＤＤ，ＤＥとの差分の絶対値、つまり｜ＤＡ−ＤＢ｜、｜ＤＡ−ＤＣ｜、｜ＤＡ−ＤＤ｜、｜ＤＡ−ＤＥ｜を算出する（ステップＳ２０１）。次に、それらの差分の絶対値の内、最も小さい値を最小差分ドット数として取得する（ステップＳ２０２）。
【００４９】
例えば、ＤＡ＝１００ドット、ＤＢ＝０ドット、ＤＣ＝５０ドット、ＤＤ＝７０ドット、ＤＥ＝１００ドットの場合、最小差分ドット数は下式によって表わされる。  
最小差分ドット数
＝ＭＩＮ｛ＡＢＳ（ＤＡ−ＤＢ），ＡＢＳ（ＤＡ−ＤＣ），ＡＢＳ（ＤＡ−ＤＤ），ＡＢＳ（ＤＡ−ＤＥ）｝
＝ＭＩＮ｛ＡＢＳ（１００−０），ＡＢＳ（１００−５０），ＡＢＳ（１００−７０），ＡＢＳ（１００−１００）｝
＝ＭＩＮ｛１００，５０，３０，０｝
＝０
ここで、ＡＢＳは絶対値、ＭＩＮは最小値を算出する関数と定義する。
【００５０】
次に、最小差分ドット数と閾値Ａとを比較し、それが閾値Ａよりも小さいか否かを判定する（ステップＳ２０３）。例えば、閾値Ａ＝１とした場合、上記のように最小差分ドット数が０であるときは、着目マトリクスＡに対応するブラック均一ハーフトーン情報のビットを”１”にセットする（ステップＳ２０４）。一方、最小差分ドット数が閾値Ａ以上であるときは、着目マトリクスＡに対応するブラック均一ハーフトーン情報のビットを”０”にセットする（ステップＳ２０５）。続いて、オリジナルＢｋデータＤ１０００における着目マトリクスの位置をシフトさせる（ステップＳ２０６）。そして、全ての着目マトリクスについての検出処理Ｅ１００１が終了していなければ先のステップＳ２０１に戻り、それが終了すれば検出処理Ｅ１００１を終了する（Ｓ２０７）。
【００５１】
図６（ａ），（ｂ），（ｃ）は、ブラック均一ハーフトーンマトリクスの検出処理Ｅ１００１の具体的な説明図である。
【００５２】
図６（ａ）は、６４画素×３２画素で構成される着目マトリクスを表している。図６（ｂ）は、ＢｋデータＤ１０００の各マトリクス（６４×３２画素）内のおけるブラックドットのカウント数を表している。着目マトリクスを図中の左方向にずらしながら、ブラック均一ハーフトーンマトリクスの検出処理Ｅ１００１を実行する。１ライン分のマトリクスに対する処理を終了したら、次のラインのマトリクスに対して処理を行う。全てのマトリクス対する処理を終了した結果として、図６（ｃ）のようなブラック均一ハーフトーンマトリクス情報（Ｄ１００９）を得ることができる。この図６（ｃ）においては閾値Ａを１とした。
【００５３】
（カラードット付与データの生成処理Ｅ１）
図７（ａ）〜（ｄ）は、カラードット付与データの生成処理Ｅ１の説明図である。  
本生成処理Ｅ１においては、まず図１のように、演算処理部Ｅ１００３にて、ブラック高デューティマトリクス情報Ｄ１００８とブラック均一ハーフトーンマトリクス情報Ｄ１００９との論理和をとって、第１のカラー付与マトリクス情報Ｄ１０１０を生成する。そして演算処理部Ｅ１０２０において、そのカラー付与マトリクス情報Ｄ１０１０とオリジナルＢｋデータＤ１０００との論理積をとって、第２のカラー付与マトリクス情報Ｄ１０２０を生成する。その第２のカラー付与マトリクス情報Ｄ１０２０は、第１のカラー付与マトリクス情報Ｄ１０１０が”１”にセットされた６４×３２のマトリクス内のＢｋデータＤ１０００に相当する。
【００５４】
本生成処理Ｅ１においては、このような第２のカラー付与マトリクス情報Ｄ１０２０に基づいて、シアンインクドットの付与データ（Ｃ付与データ）Ｄ１０１１、マゼンタインクドットの付与データ（Ｍ付与データ）Ｄ１０１２、およびイエローインクドットの付与データ（Ｙ付与データ）Ｄ１０１３を生成する。Ｃ付与データ（Ｄ１０１１）、Ｍ付与データ（Ｄ１０１２）、およびＹ付与データ（Ｄ１０１３）をまとめてカラードット付与データという。
【００５５】
Ｃ付与データ（Ｄ１０１１）は、第２のカラー付与マトリクス情報Ｄ１０２０（第１のカラー付与マトリクス情報Ｄ１０１０が”１”にセットされたマトリクス内のＢｋデータＤ１０００）と、図７（ｂ）のような１０（画素）×１０（画素）のサイズのシアン用マスク（Ｃマスク）との論理積をとることによって生成される（図７（ａ）中のＣマスクとのＡＮＤ処理Ｅ１００７）。同様に、Ｍ付与データ（Ｄ１０１２）は、第２のカラー付与マトリクス情報Ｄ１０２０と、図７（ｃ）のような１０（画素）×１０（画素）のサイズのマゼンタ用マスク（Ｍマスク）との論理積をとることによって生成される（図７（ａ）中のＭマスクとのＡＮＤ処理Ｅ１００８）。同様に、Ｙ付与データ（Ｄ１０１３）は、第２のカラー付与マトリクス情報Ｄ１０２０と、図７（ｄ）のような１０（画素）×１０（画素）のサイズのイエロー用マスク（Ｙマスク）との論理積をとることによって生成される（図７（ａ）中のＹマスクとのＡＮＤ処理Ｅ１００９）。それらのＣ，Ｍ，Ｙのマスクが１０×１０のサイズであるため、それらを６４×３２サイズのマトリクス内において縦方向と横方向に繰り返し用いるようにして、第２のカラー付与マトリクスＤ１０２０との論理積をとる。
【００５６】
本例においては、図７（ｂ），（ｃ），（ｄ）のように、Ｃ，Ｍ，Ｙのマスクのデューティをそれぞれ１８％、６％、５％としている。これらのデューティは、第１のカラー付与マトリクス情報Ｄ１０１０が”１”にセットされたマトリクス（６４×３２）内に対して、画像品位を向上させるためのシアンインクドット、マゼンタインクドット、およびイエローインクドットを付与するときの付与量に相当する。それぞれのカラーインクドットの付与量およびマスクのサイズは、インクの特性や記録装置の構成に応じて設定する。また、マスク内のドットは、規則性を持たせて配置してもよく、また疑似的にランダムに配置してもよい。
【００５７】
（記録用Ｃ，Ｍ，Ｙデータ（カラーデータ）の生成処理Ｅ２）
本生成処理Ｅ２においては、図１のように、演算処理部Ｅ１０１０，Ｅ１０１１，Ｅ１０１２のそれぞれにおいて、Ｃ，Ｍ，ＹのオリジナルデータＤ１００１、Ｄ１００２，Ｄ１００３と、Ｃ，Ｍ，Ｙ付与データＤ１０１１，Ｄ１０１２，Ｄ１０１３との論理和をとって、記録用のＣ，Ｍ，ＹデータＤ１００５，Ｄ１００６，Ｄ１００７を生成する。
【００５８】
本例におけるカラーデータ（Ｃ，Ｍ，Ｙデータ）Ｄ１００１，Ｄ１００２，Ｄ１００３，Ｄ１００５，Ｄ１００６，Ｄ１００７は、２ビットのインデックス形式の多値データとされており、記録時に、記録ヘッドの解像度に合わせて展開される。図８（ａ）のように、２ビットのインデックスデータ（００，０１，１０，１１）には、対応する展開パターンが設定されている。
【００５９】
図８（ｂ）は、演算処理部Ｅ１０１０，Ｅ１０１１，Ｅ１０１２における論理処理、つまり２ビットのオリジナルカラーデータＤ１００１，Ｄ１００２，Ｄ１００３と、１ビットのカラー付与データ（Ｃ，Ｍ，Ｙ付与データ）Ｄ１０１１，Ｄ１０１２，Ｄ１０１３との演算処理の説明図である。１ビットのカラー付与データが「１」の場合には、オリジナルカラーデータが「００」のときにのみ、演算後の記録用カラーデータを「０１」に変換する。それ以外のオリジナルカラーデータの場合には、オリジナルカラーデータをそのまま記録用カラーデータとする。
【００６０】
（記録用Ｃ，Ｍ，Ｙ，Ｂｋデータに基づく記録動作）
記録用Ｃ，Ｍ，Ｙ，ＢｋデータＤ１００４〜Ｄ１００７に基づいて、対応する記録ヘッド２０１からＣ，Ｍ，Ｙ，Ｂｋインクを吐出することにより、記録用紙１０７にカラー画像を記録する。その際、記録用カラーデータＤ１００５，Ｄ１００６，Ｄ１００７は記録ヘッド２０１の解像度に合わせて展開される。
【００６１】
図９は、記録用紙に対して、Ｂｋインクによって記録される文字部分、網掛け部分、およびべた部分を含む画像を記録する際に、本実施形態を適応した場合の処理結果を模式的に表した図である。
【００６２】
Ｂｋインクによって記録される文字部分は、文字データ１００１に基づいてブラックドットが形成される領域である。Ｂｋインクによって記録される網掛け部分は、網掛けデータ１００２に基づいてブラックドットが形成される均一ハーフトーン領域である。Ｂｋインクによって記録されるべた部分は、Ｂｋインクのべたデータ（Ｂｋべたデータ）１００３に基づいてブラックドットが高デューティに形成される領域である。検出マトリクス１０００を着目マトリクスとして、その着目マトリクスをマトリクスＭ１〜Ｍ５のようにずらしながら、ブラック高デューティマトリクスの検出処理Ｅ１０００とブラック均一ハーフトーントリクス検出処理Ｅ１００１を実施した。
【００６３】
その結果、文字部分は、検出処理Ｅ１０００によってブラック高デューティ領域として検出されず、また検出処理Ｅ１００１によって均一ハーフトーン領域としても検出されない。そのため、文字部分はカラードットが付与されない領域、つまりカラードットの非重ね打ち領域２０００となる。一方、網掛け部分は検出処理Ｅ１００１によって均一ハーフトーン領域として検出され、べた部分は検出処理Ｅ１０００によってブラック高デューティ領域として検出される。そのため、網掛け部分とべた分を含むマトリクスＭ３〜Ｍ５の領域は、カラードットを付与する領域、つまりカラードットの重ね打ち領域２００１となる。したがって、網掛け部には、カラードットの非重ね打ち領域２０００と重ね打ち領域２００１とが混在せず、それらが混在した場合に生じる画像の濃度むらを防止することができる。
【００６４】
このように、ブラックドットが比較的高デューティに形成される領域にカラードットが重ね打ちされると共に、網掛け部などのブラック均一ハーフトーン領域にもカラードットが重ね打ちされるようカラー付与データを生成しているため、高デューティに起因して生じるスミアを抑制しつつ、文字の記録領域に関しては、カラードットを重ね打ちせずに記録品位を保ち、また網掛け部などのブラック均一ハーフトーン領域に関しては、カラードットの重ね打ちの領域と非重ね打ち領域が混在することによる濃度むら及び色むらの発生を低減することができる。
【００６５】
[変形例]
前述したブラック均一ハーフトーントリクス検出処理Ｅ１００１では、ブラック高デューティマトリクスの検出処理Ｅ１０００で使用されるマトリクスと同じサイズのマトリクスを使用しているが、マトリクスサイズは互いに異ならせてもよい。
【００６６】
[第２の実施形態]
本実施形態においては、画像の文字部分と網掛け部分との判定精度をさらに向上させて、カラードットの重ね打ちによる文字品位の劣化や色むらの発生を防止する。
【００６７】
図１０は、本実施形態のデータ処理系の構成例を説明するためのブロック図である。本例においては、前述した第１の実施形態におけるデータ処理系（図１参照）に対して、孤立領域除去処理Ｅ１００２とボールド処理Ｅ１００４を加えた構成である。その他の処理は、第１の実施形態と同様である。図１１は、孤立領域除去処理Ｅ１００２を説明するためのフローチャート、図１２は孤立領域除去処理Ｅ１００２を説明するためのマトリクス構成図である。
【００６８】
まず、着目マトリクスＡと８つの近接マトリクスＢ，Ｃ，Ｄ，Ｅ，Ｆ，Ｇ，Ｈ，Ｉに関して、ブラック均一ハーフトーンマトリクス情報（ビット情報）Ｄ１００９が”１”であるマトリクスの数を取得する（ステップＳ３０１）。それらの９つのマトリクスおいて、マトリクス情報Ｄ１００９が”１”であるマトリクス数が所定の閾値Ｂを越えているか否かを判定する（ステップＳ３０２）。ここでは、閾値Ｂ＝６とする。マトリクス情報Ｄ１００９が”１”であるマトリクス数が閾値Ｂを越えている場合には、着目マトリクスＡに対応するマトリクス情報Ｄ１００９を”１”とし（ステップＳ３０３）、それが閾値Ｂを越えていない場合には、着目マトリクスＡに対応するマトリクス情報Ｄ１００９を”０”とする（ステップＳ３０４）。次に、着目マトリクスＡをシフトし（ステップＳ３０５）、全てのマトリクスの処理が終了したか否かを判定する（ステップＳ３０６）。全てのマトリクスの処理が終了していなければ先のステップＳ３０１に戻る。
【００６９】
このように孤立領域除去処理Ｅ１００２は、８つの近接マトリクスＢ，Ｃ，Ｄ，Ｅ，Ｆ，Ｇ，Ｈ，Ｉとの関係から、着目マトリクスＡのブラック均一ハーフトーンマトリクス情報Ｄ１００９を変更する。変更後のマトリクス情報は、孤立領域除去マトリクス情報Ｄ１０１４として演算処理部Ｅ１００３に入力されて、ブラック高デューティマトリクス情報Ｄ１００８との論理和が第１のカラー付与マトリクス情報Ｄ１０１０として生成される。
【００７０】
図１３は、ボールド処理Ｅ１００４の説明図である。着目マトリクスのカラー付与マトリクス情報Ｄ１０１０が”１”のときは、その上下左右の４つの近接マトリクスのカラー付与マトリクス上方Ｄ１０１０も”１”に設定する。このようなボールド処理後のマトリクス情報は、ボールド後のカラー付与マトリクス情報Ｄ１０３０として演算処理部Ｅ１０２０に入力される。
【００７１】
図１４は、本実施形態における孤立領域除去処理Ｅ１００２とボールド処理Ｅ１００４の処理内容の具体的な説明図である。
【００７２】
図１４（ａ），（ｂ），（ｃ）は、図６（ａ），（ｂ），（ｃ）と同様である。すなわち、図１４（ａ）は、６４×３２画素の着目マトリクスを表している。また図１４（ｂ）は、ＢｋデータＤ１０００の各マトリクス（６４×３２画素）内のおけるブラックドットのカウント数を表している。着目マトリクスを図中の左方向にずらしながら、ブラック均一ハーフトーンマトリクスの検出処理Ｅ１００１を実行する。１ライン分のマトリクスに対する処理を終了したら、次のラインのマトリクスに対して処理を行う。全てのマトリクスに対する処理を終了した結果として、図１４（ｃ）のようなブラックハーフトーンマトリクス情報Ｄ１００９を得ることができる。この図１４（ｃ）においては、前述した図６（ｃ）と同様に閾値Ａを１とした。
【００７３】
図１４（ｄ）は、図１４（ｃ）のブラックハーフトーンマトリクス情報Ｄ１００９に対して、孤立領域除去処理Ｅ１００２を行った結果を表わしている。その孤立領域除去処理Ｅ１００２は、前述したように、着目マトリクスと８つの近接マトリクスとを含む９つのマトリクスにおいて、マトリクス情報Ｄ１００９が”１”であるマトリクスの数が閾値Ｂ（＝６）を越えているときは、その着目マトリクスのマトリクス情報Ｄ１０１４を”１”とし、それが閾値Ｂ（＝６）を越えていないときは、その着目マトリクスのマトリクス情報Ｄ１０１４を”０”とする。例えば、マトリクスＭ１１と、その近傍の８つのマトリクスを含む９つのマトリクスにおいては、マトリクス情報Ｄ１００９が”１”であるマトリクスの数が閾値Ｂ（＝６）以下の４つであるため、マトリクスＭ１１のマトリクス情報Ｄ１０１４が”０”とされる。マトリクスＭ１５，Ｍ４１，Ｍ４５も同様である。また、マトリクスＭ２７と、その近傍の８つのマトリクスを含む９つのマトリクスにおいては、マトリクス情報Ｄ１００９が”１”であるマトリクスの数が閾値Ｂ（＝６）以下の２つであるため、マトリクスＭ２７のマトリクス情報Ｄ１０１４が”０”とされる。マトリクスＭ３７も同様である。他のマトリクスのマトリクス情報は、”０”または”１”のままとする。
【００７４】
マトリクス情報Ｄ１００９が”１”であるマトリクスにおいて、マトリクスＭ２７，Ｍ３７は孤立する領域（孤立領域）であり、またマトリクスＭ１１，Ｍ１５，Ｍ４１，Ｍ４５は隅にハーフトーン領域の隅に位置する領域である。この段階において、これら両者の領域は、カラードットの重ね打ちの対象領域から外されることになる。後者の領域に関しては、後のボールド処理Ｅ１００４によって、カラードットの重ね打ちの対象領域に含ませる。このように、孤立領域除去処理Ｅ１００２においては、孤立領域のマトリクス情報Ｄ１０１４を”０”とする。この結果、ブラックインクによって記録されるハーフトーン領域と、それから外れた文字などの記録領域とを判別して、文字などの記録領域に対するカラードットの重ね打ちを回避することができる。
【００７５】
図１４（ｅ）は、ボールド処理Ｅ１００４の処理結果としてのボールド後のカラー付与マトリクス情報Ｄ１０３０を表している。ここでは、ブラック高デューティマトリクス情報Ｄ１００８が全て”０”であると仮定し、そのマトリクス情報Ｄ１００８と図１４（ｄ）の孤立領域除去マトリクス情報Ｄ１０１４との論理和として生成された第１のカラー付与マトリクス情報Ｄ１０１０に対して、ボールド処理を行った。このボールド処理は、上述したように、マトリクス情報が”１”であるマトリクスの上下左右に位置するマトリクスのマトリクス情報を”１”とする処理である。この結果、先の孤立領域除去処理Ｅ１００２によってカラードットの重ね打ちの対象領域から外されたマトリクスＭ１１，Ｍ１５，Ｍ４１，Ｍ４５は、カラードットの重ね打ちの対象領域として含まれることになって、カラードットの付与が保証される。
【００７６】
このように、本実施形態においては、孤立領域除去処理Ｅ１００２とボールド処理Ｅ１００４を含むことにより、カラードットの付与を必要とする領域（例えば、図９中のべた部分と網掛け部分）と、カラードットの付与を必要としない領域（例えば、図９中の文字部分）とを正確に判別して対処することができる。
【００７７】
[第３の実施形態]
本実施形態においては、表やグラフ等の中の文字に網掛けを行った場合にも、カラードットの重ね打ちによる文字品位の劣化や色むらの発生を防止する。
【００７８】
図１５は、Ｂｋインクによって記録される文字部分、網掛け文字部分、およびべた部分を含む画像の記録例の説明図である。網掛け文字部分においては、文字が網掛けされている。
【００７９】
図１５において、文字部分は、文字データ２００１に基づいてブラックドットが形成される領域、網掛け文字部分は、網掛け文字データ２００２に基づいてブラックドットが形成される領域、べた部分は、Ｂｋインクのべたデータ（Ｂｋべたデータ）２００３に基づいてブラックドットが高デューティに形成される領域である。検出マトリクス２０００を着目マトリクスとし、その着目マトリクスをマトリクスＭ１〜Ｍ５のようにずらしながら、カラードットを付与しない領域（非重ね打ち領域）２００４とカラードットを付与する領域（重ね打ち領域）２００５とを設定する。網掛け文字部分に対応するマトリクスＭ３，Ｍ４において、マトリクスＭ３内には文字が存在し、マトリクスＭ４には文字が存在しない。仮に、文字にカラードットを付与しないように非重ね打ち領域２００４を設定した場合には、図１５のように、網掛け文字部分に、カラードットが重ね打ちされない領域Ａ１と、それが重ね打ちされる領域Ａ２と、が混在して、色むらが発生するおそれがある。本実施形態では、このような色むらの発生を防止するべく、網掛け部分に文字がある場合であっても、網掛け部分の全域がカラードット重ね打ち領域となるよう構成している。
【００８０】
図１６は、本実施形態のデータ処理系の構成例を説明するためのブロック図である。本例の場合は、前述した第２の実施形態における図１０のボールド処理Ｅ１００４の後段に、垂直方向への伝播処理Ｅ１００５と水平方向への伝播処理Ｅ１００６を加えた構成となっている。
【００８１】
図１７は、垂直（下）方向への伝播処理Ｅ１００５の説明図である。Ｍａ〜Ｍｅは、垂直方向（画像の上下方向に相当）に並ぶマトリクスである。
【００８２】
図１７（ａ）は、ボールド処理Ｅ１００４の後におけるマトリクスＭａ〜Ｍｅのカラー付与マトリクス情報（ビットマップ情報）Ｄ１０３０であり、本例の場合は、上側のマトリクスＭａが”１”、それよりも下側のマトリクスＭｂ〜Ｍｅが”０”となっている。図１７（ｂ）は、マトリクスＭａ〜Ｍｅ内におけるブラックドット数のカウント値Ｃであり、本例の場合は、それらのカウント値Ｃが１００ドット、５０ドット、３０ドット、１０ドット、０ドットとなっている。伝播処理Ｅ１００５においては、マトリクス情報Ｄ１０３０が”１”のマトリクスを基準にして、それよりも下側のマトリクスのマトリクス情報Ｄ１０３０を所定の条件下において順次”１”設定することによって、図１７（ｃ）のような第１伝播処理後のカラー付与マトリクス情報Ｄ１０４０を生成する。すなわち、マトリクスＭａよりも下側のマトリクスのカウント値Ｃを順次調べ、そのカウント値Ｃが”０”となる手前までのマトリクスのマトリクス情報を”１”に設定する。本例の場合は、マトリクスＭｅのカウント値Ｃが”０”であるため、その手前までのマトリクスＭｂ〜Ｍｄのマトリクス情報が”１”に設定される。
【００８３】
図１８は、水平（左右）方向への伝播処理Ｅ１００６の説明図である。Ｍａ−１〜Ｍａ−５は、水平方向（画像の左右方向に相当）に並ぶマトリクスである。
【００８４】
図１８（ａ）は、上記のような伝播処理Ｅ１００５の後のマトリクス情報Ｄ１０４０であり、本例の場合は、中央のマトリクスＭａ−３が”１”、他のマトリクスが”０”となっている。図１８（ｂ）は、マトリクスＭａ−１〜Ｍａ−５内におけるブラックドット数のカウント値Ｃであり、本例の場合は、それらのカウント値Ｃが０ドット、１０ドット、１００ドット、５０ドット、０ドットとなっている。伝播処理Ｅ１００６においては、マトリクス情報Ｄ１０４０が”１”のマトリクスを基準にして、それよりも左側および右側のマトリクスのマトリクス情報Ｄ１０４０を所定の条件下において順次”１”設定することによって、図１８（ｃ）のような第２伝播処理後のカラー付与マトリクス情報Ｄ１０５０を生成する。すなわち、マトリクスＭａ−３よりも左側および右側のマトリクスのカウント値Ｃを順次調べ、そのカウント値Ｃが”０”となる手前までのマトリクスのマトリクス情報を”１”に設定する。本例の場合は、マトリクスＭａ−１，Ｍａ−５のカウント値Ｃが”０”であるため、その手前までのマトリクスＭａ−２〜Ｍａ−４のマトリクス情報が”１”に設定される。
【００８５】
図１９は、本実施形態の構成によって図１５の画像データを処理した場合の説明図である。図に示すように、本実施形態の処理を適応することにより、網掛け部分の全域がカラードットの重ね打ち領域２００５となる。したがって、その網掛け部分に関して、非重ね打ち領域と重ね打ち領域との混在による濃度ムラを解消することができる。
【００８６】
[第４の実施形態]
図２０は、Ｂｋインクによって記録される文字部分と網掛け部分、およびカラーインク（Ｙ，Ｍ，Ｃインク）によって記録されるべた部分を含む画像の記録例の説明図である。Ｂｋインクによる網掛け部分と、カラーインクによるべた部分は隣接している。
【００８７】
図２０において、文字部分は、文字データ２００１に基づいてブラックドットが形成される領域、網掛け部分は、網掛けデータ２００２に基づいてブラックドットが形成される領域である。べた部分は、カラーインクのべたデータ（カラーべたデータ）２００３に基づいてカラードットが高デューティに形成される領域である。検出マトリクス２０００を着目マトリクスとし、その着目マトリクスをマトリクスＭ１〜Ｍ５のようにずらしながら、カラードットを付与しない領域（非重ね打ち領域）２００４とカラードットを付与する領域（重ね打ち領域）２００５とを設定する。仮に図２０のように、網掛け部分に、カラードットが重ね打ちされない領域Ａ１と、それが重ね打ちされる領域Ａ２と、が混在した場合には、色むらが発生するおそれがある。そこで、本実施形態では、このような色むらを防止するべく、以下のような構成を採用している。
【００８８】
図２１は、本実施形態におけるデータ処理系の構成例を説明するためのブロック図である。本例においては、前述した第３の実施形態のデータ処理系（図１６参照）に対して、カラー隣接マトリクスの検出処理Ｅ１０１３と、第２のカラードット付与データ（カラードット付与データ２）の生成処理Ｅ３を加えた構成である。生成処理Ｅ３には、論理積演算処理Ｅ１０１４，Ｅ１０１５，Ｅ１０１６が含まれる。図２１においては、データＤ１０１１，Ｄ１０１２，Ｄ１０１３をＣ，Ｍ，Ｙ付与データ１として表わし、処理Ｅ１００７，Ｅ１００８，Ｅ１００９において用いられるＣ，Ｍ，ＹマスクをＣ，Ｍ，Ｙマスク１として表わしている。論理和演算部Ｅ１０１０、Ｅ１０１１，Ｅ１０１２は、各色Ｃ，Ｍ，ＹのオリジナルデータＤ１００１，Ｄ１００２，Ｄ１００３と、各色Ｃ、Ｍ，Ｙの付与データ（付与データ１）Ｄ１０１１，Ｄ１０１２，Ｄ１０１３と、各色Ｃ，Ｍ，Ｙの付与データ（付与データ２）Ｄ１０１５，Ｄ１０１６，Ｄ１０１７との論理和を演算して、各色Ｃ，Ｍ，Ｙの記録データＤ１００５，Ｄ１００６，Ｄ１００７を生成する。
【００８９】
（カラー隣接マトリクスの検出処理Ｅ１０１３）
図２２は、境界ブリーディング防止用のカラー隣接マトリクス検出処理Ｅ１０１３を説明するためのフローチャートである。
【００９０】
まず、６４×３２（画素）の着目マトリクス内に形成されるべきカラードット数をカウントする（ステップＳ４０１）。すなわち、図２１のようにオリジナルＣデータＤ１００１，オリジナルＭデータＤ１００２，およびオリジナルＹデータＤ１００３に基づいて、着目マトリクス内に形成されるＣ，Ｍ，Ｙインクのドット数を合算する。そして、その着目マトリクス内におけるカラードットの総数が４１０ドット以上であるか否かを判定する（ステップＳ４０２）。着目マトリクスにおけるカラードット数が４１０以上の場合には、その着目マトリクスと、それに隣接する６４×３２の隣接マトリクス（図２３（ａ）中の隣接マトリクス１，２，３，４）に対応するカラー隣接マトリクス情報Ｄ１０１８（図２１参照）のビットを”１”にする（ステップＳ４０３）。着目マトリクスにおけるカラードット数が４１０未満の場合には、その着目マトリクスに対応するカラー隣接マトリクス情報Ｄ１０１８のビットを”０”にする（ステップＳ４０４）。続いて、着目マトリクスの位置をシフトさせる（ステップＳ４０５）。そして、全てのマトリクスに対するカラー隣接マトリクス検出処理Ｅ１０１３が終了したか否かを判定し（ステップＳ４０６）、それが終了すれば処理を終え（ステップＳ４０７）、それが終了しなければステップＳ４０２に戻って、カラー隣接マトリクス検出処理Ｅ１０１３を繰り返す。
【００９１】
カラードット数の閾値は４１０のみに特定されず、インクの特性や記録装置の特性に合わせて最適な値に設定することができる。また、オリジナルＣデータＤ１００１、ＭデータＤ１００２、およびＹデータＤ１００３は、必ずしも２値化されたデータでなくてもよく、結果的に、インクのドットを形成するか否かに対応付けられるデータであればよい。また、着目マトリクス内に形成されるＣ，Ｍ，Ｙインクのドット数を合算する際に、インクの種類毎に、インクの特性などに応じた重み付けをしてもよい。
【００９２】
図２３（ａ），（ｂ），（ｃ）は、カラー隣接マトリクス検出処理Ｅ１０１３の具体的な説明図である。
【００９３】
図２３（ａ）は、６４×３２の着目マトリクスと、それに隣接する４つの隣接マトリクスを表している。本実施形態では、着目マトリクスに隣接する上下左右のマトリクスを隣接マトリクスとしている。これは、着目マトリクスと隣接マトリクスの境界領域においてブラックドットとカラードットが隣接する場合に、境界ブリーディングが生じることを防止するためである。着目マトリクスの対角に位置する４つのマトリクス、つまり着目マトリクスの右上、右下、左上、左下に位置するマトリクスについては、着目マトリクスとの境界領域が点としか存在しないため、それらのマトリクスは、隣接マトリクスとしては扱わない。マトリクスのサイズ、および着目マトリクスに隣接する計８つのマトリクスの内のどれを着目マトリクスとして扱うかは、インクシステムや記録装置の特性に応じて適切に設定する。
【００９４】
図２３（ｂ）は、各マトリクス内におけるカラーインク（シアン，マゼンタ，およびイエローインク）のドットの総数の説明図である。その総数が４１０以上のマトリクス部分には斜線を付している。図２３（ｃ）は、カラー隣接マトリクス検出処理Ｅ１０１３を行った結果として得られたカラー隣接マトリクス情報Ｄ１０１８の説明図である。前述したように、着目マトリクスの位置を横方向および縦方向にシフトさせながら、カラードット数のカウント値が４１０以上の着目マトリクスと、その着目マトリクスに隣接する隣接マトリクスに対応するビットに”１”をセットし、４１０未満の着目マトリクスに対応するビットには”０”をセットする。したがって、カラー隣接マトリクス情報Ｄ１０１８は、図２３（ｃ）のようなビットマップ情報となる。
【００９５】
（第２のカラードット付与データの生成処理Ｅ３）
図２４（ａ）〜（ｄ）は、第２のカラードット付与データ（付与データ２）の生成処理Ｅ３の説明図である。
【００９６】
本生成処理においては、図２４（ａ）のように、カラー隣接マトリクス情報Ｄ１０１８（図２３（ｃ）参照）が”１”にセットされた６４×３２のマトリクス内のＢｋデータＤ１０００に基づいて、シアンインクドットの付与データ（Ｃ付与データ２）Ｄ１０１５、マゼンタインクドットの付与データ（Ｍ付与データ２）Ｄ１０１６、およびイエローインクドットの付与データ（Ｙ付与データ２）Ｄ１０１７を生成する。Ｃ付与データ２（Ｄ１０１５）、Ｍ付与データ２（Ｄ１０１６）、およびＹ付与データ２（Ｄ１０１７）をまとめて第２のカラードット付与データ（付与データ２）ともいう。
【００９７】
Ｃ付与データ２（Ｄ１０１５）は、カラー隣接マトリクス情報Ｄ１０１８が”１”にセットされたマトリクス（６４×３２）内のＢｋデータＤ１０００と、図２４（ｂ）のような１０（画素）×１０（画素）のサイズのシアン用マスク（Ｃマスク２）との論理積をとることによって生成される（図２４（ａ）中のＣマスク２とのＡＮＤ処理Ｅ１０１５）。同様に、Ｍ付与データ２（Ｄ１０１６）は、カラー隣接マトリクス情報Ｄ１０１８が”１”にセットされたマトリクス（６４×３２）内のＢｋデータＤ１０００と、図２４（ｃ）のような１０（画素）×１０（画素）のサイズのマゼンタ用マスク（Ｍマスク２）との論理積をとることによって生成される（図２４（ａ）中のＭマスク２とのＡＮＤ処理Ｅ１０１５）。同様に、Ｙ付与データ２（Ｄ１０１７）は、カラー隣接マトリクス情報Ｄ１０１８が”１”にセットされたマトリクス（６４×３２）内のＢｋデータＤ１０００と、図２４（ｄ）のような１０（画素）×１０（画素）のサイズのイエロー用マスク（Ｙマスク２）との論理積をとることによって生成される（図２４（ａ）中のＹマスク２とのＡＮＤ処理Ｅ１０１６）。
【００９８】
それらのＣ，Ｍ，Ｙのマスク２が１０×１０のサイズであるのため、それらを６４×３２サイズのマトリクス内において縦方向と横方向に繰り返し用いるようにして、ＢｋデータＤ１０００との論理積をとる。本例においては、図２４（ｂ），（ｃ），（ｄ）のように、Ｃ，Ｍ，Ｙのマスクのデューティをそれぞれ３０％、５％、５％としている。これらのデューティは、カラー隣接マトリクス情報Ｄ１０１８が”１”にセットされたマトリクスの記録領域に対して、境界ブリーディング防止用のシアンインクドット、マゼンタインクドット、およびイエローインクドットを付与するときの付与量に相当する。それぞれのインクドットの付与量およびマスクのサイズは、インクの特性や記録装置の構成に応じて設定する。また、マスク内のドットは、規則性を持たせて配置してもよく、また疑似的にランダムに配置してもよい。
【００９９】
そして、このようにして得られた第２のカラードット付与データ（Ｃ付与データ２（Ｄ１０１５）、Ｍ付与データ２（Ｄ１０１６）、Ｙ付与データ２（Ｄ１０１７））と、Ｃ，Ｍ，Ｙのオリジナルデータ（Ｄ１００１、Ｄ１００２，Ｄ１００３）と、ブラック領域に重ね打ちされるＣ，Ｍ，Ｙ付与データ（Ｄ１０１１，Ｄ１０１２，Ｄ１０１３）との論理和をとって、記録用のＣ，Ｍ，ＹデータＤ１００５，Ｄ１００６，Ｄ１００７を生成する。
【０１００】
図２５は、本実施形態の構成によって図２１の画像データを処理した場合の説明図である。図に示すように、本実施形態の処理を適応することにより、カラー画像と隣接する網掛け部分の全域がカラードットの重ね打ち領域２００５となる。したがって、その網掛け部分に関して、非重ね打ち領域と重ね打ち領域との混在による濃度ムラを解消することができる。
【０１０１】
［その他の実施形態］
本発明は、上述したようにシリアルスキャンタイプの記録装置のみならず、被記録媒体上における記録領域の幅方向の全域に渡って延在する記録ヘッドを用いたフルラインタイプの記録ヘッドなどに対しても適用することができる。
【０１０２】
また、上述した各実施形態においては、スミア抑制のためにブラックインクに重ねて付与するカラーインクとして、記録に用いる全てのカラーインク（シアン、マゼンタ、イエロー）を適用する形態について説明しているが、本発明はこれに限定されるものではない。ブラックインクに重ねて付与するインクは、記録に用いる全カラーインクのうちの少なくとも１種類でよい。
【０１０３】
また、上述した実施形態においてはカラーインクの種類として、シアン、マゼンタ、イエローのインクを用いているが、本発明はこれに限定されるものではなく、シアンインクよりも色材濃度の低い淡シアンインク、マゼンタインクよりも色材濃度の低い淡マゼンタインク、イエローインクよりも明度の低いダークイエロー、レッドインク、グリーンインク、ブルーインクの群から選ばれる少なくとも１種のインクを更に併用する形態であってもよい。なお、淡シアンインクおよび淡マゼンタインクを用いる形態にあっては、ブラックインクに重ねて付与するインクとして、シアンインクおよびマゼンタインクは適用せず、淡シアンインクおよび淡マゼンタインクを適用するのがよい。淡シアンインクおよび淡マゼンタインクは濃度が低いため、ブラックに重ね合わせてもブラックの色味を変化させることが殆どないからである。
【０１０４】
更に、上述した各実施形態においては、カラーインクのうちシアンインクについてだけ、ブラックインクの色材を凝集させる成分を含ませているが、本発明はこれに限られるものではない。例えば、シアンインクに加え、マゼンタインクおよび／またはイエローインクにも上記成分を含ませてもよいし、また、シアンインクの代わりに、マゼンタインクあるいはイエローインクについてだけ上記成分を含ませてもよい。いずれにせよ、上記成分を含ませたカラーインクを、ブラックが形成される領域に付与することが好ましい。
【０１０５】
また、上述した実施形態では、ブラックインクの色材を凝集させる成分を含むカラーインクを使用しているが、本発明はこれに限られるものではない。スミア抑制の観点からすれば、ブラックインクの色材を凝集させることは必須ではない。従って、上記成分を含むカラーインクは使用しなくともよい。
【図面の簡単な説明】
【０１０６】
【図１】本発明の第１の実施形態におけるデータ処理の流れを説明するためのブロック図である。
【図２】図１におけるブラック高デューティマトリクスの検出処理を説明するためのフローチャートである。
【図３】（ａ）は、図２のブラック高デューティマトリクスの検出処理における着目マトリクスの説明図、（ｂ）は、マトリクス内におけるブラックドット数のカウント値の説明図、（ｃ）は、ブラック高デューティマトリクス検出情報の説明図である。
【図４】図１におけるブラック均一ハーフトーンマトリクスの検出処理を説明するためのフローチャートである。
【図５】（ａ）は、図１のブラック均一ハーフトーンマトリクスの検出処理における着目マトリクスの説明図、（ｂ）は、その着目マトリクスと近接マトリクスとの関係の説明図である。
【図６】（ａ）は、図１のブラック均一ハーフトーンマトリクスの検出処理における着目マトリクスの説明図、（ｂ）は、マトリクス内におけるブラックドット数のカウント値の説明図、（ｃ）は、ブラック均一ハーフトーンマトリクス検出情報の説明図である。
【図７】（ａ）は、図１におけるカラードット付与データの生成処理の説明図であり、（ｂ），（ｃ）および（ｄ）は、（ａ）におけるＣマスク，Ｍマスク，およびＹマスクの説明図である。
【図８】（ａ）は、図１におけるカラーオリジナルデータとその展開パターンの説明図、（ｂ）は、カラーオリジナルデータに対する演算処理の説明図である。
【図９】本発明の第１の実施形態による記録例の説明図である。
【図１０】本発明の第２の実施形態におけるデータ処理の流れを説明するためのブロック図である。
【図１１】図１０における孤立領域除去処理を説明するためのフローチャートである。
【図１２】（ａ）は、図１０のブラック均一ハーフトーンマトリクスの検出処理における着目マトリクスの説明図、（ｂ）は、その着目マトリクスと近接マトリクスとの関係の説明図である。
【図１３】図１０の孤立領域除去処理における着目マトリクスと近接マトリクスとの関係の説明図である。
【図１４】（ａ）は、図１０のデータ処理における着目マトリクスの説明図、（ｂ）は、Ｂｋデータの各マトリクス内におけるブラックドット数のカウント値の説明図、（ｃ）は、図１０におけるブラック均一ハーフトーンマトリクス情報の説明図、（ｄ）は、図１０における孤立領域除去マトリクス情報の説明図、（ｅ）は、図１０におけるホールド後のカラー付与マトリクス情報の説明図である。
【図１５】文字、網掛け文字、Ｂｋべたパターンを含む画像の記録例の説明図である。
【図１６】本発明の第３の実施形態におけるデータ処理の流れを説明するためのブロック図である。
【図１７】（ａ），（ｂ），（ｃ）は、図１６における垂直方向への伝播処理の説明図である。
【図１８】（ａ），（ｂ），（ｃ）は、図１６における水平方向への伝播処理の説明図である。
【図１９】本発明の第３の実施形態による記録例の説明図である。
【図２０】文字、網掛け文字、カラーべたパターン含む画像の記録例の説明図である。
【図２１】本発明の第４の実施形態におけるデータ処理の流れを説明するためのブロック図である。
【図２２】図２１におけるカラー隣接マトリクス処理を説明するためのフローチャートである。
【図２３】（ａ）は、図２１のカラー隣接マトリクス検出処理における着目マトリクスと隣接マトリクスとの関係の説明図、（ｂ）は、マトリクス内におけるカラードット数のカウント値の説明図、（ｃ）は、カラー隣接マトリクス情報の説明図である。
【図２４】（ａ）は、図２１におけるカラードット付与データ２の生成処理の説明図、（ｂ），（ｃ）および（ｄ）は、（ａ）におけるＣマスク，Ｍマスク，およびＹマスクの説明図である。
【図２５】本発明の第４の実施形態による記録例の説明図である。
【図２６】本発明の第１の実施形態における記録装置の概略斜視図である。
【図２７】図２６における記録ヘッドの要部の斜視図である。
【図２８】図２６の記録装置における制御系のブロック構成図である。
【図２９】従来技術による記録例の説明図である。
【符号の説明】
【０１０７】
１０６    キャリッジ
１０７    記録用紙（被記録媒体）
２０１    記録ヘッド
５００    記録制御部
Ｄ１０００    オリジナルＢｋデータ
Ｄ１００１    オリジナルＣデータ
Ｄ１００２    オリジナルＭデータ
Ｄ１００３    オリジナルＹデータ
Ｄ１００８    ブラック高デューティマトリクス情報
Ｄ１００９    ブラック均一ハーフトーンマトリクス情報
Ｄ１００４    記録用Ｂｋデータ
Ｄ１００５    記録用Ｃデータ
Ｄ１００６    記録用Ｍデータ
Ｄ１００７    記録用Ｙデータ
Ｅ１０００    ブラック高デューティマトリクスの検出処理
Ｅ１００１    ブラック均一ハーフトーンマトリクスの検出処理
Ｅ１    カラードット付与データの生成処理
【図１】
2005254517.tif 000003
【図２】
2005254517.tif 000004
【図３】
2005254517.tif 000005
【図４】
2005254517.tif 000006
【図５】
2005254517.tif 000007
【図６】
2005254517.tif 000008
【図７】
2005254517.tif 000009
【図８】
2005254517.tif 000010
【図１０】
2005254517.tif 000011
【図１１】
2005254517.tif 000012
【図１２】
2005254517.tif 000013
【図１３】
2005254517.tif 000014
【図１４】
2005254517.tif 000015
【図１６】
2005254517.tif 000016
【図１７】
2005254517.tif 000017
【図１８】
2005254517.tif 000018
【図２１】
2005254517.tif 000019
【図２２】
2005254517.tif 000020
【図２３】
2005254517.tif 000021
【図２４】
2005254517.tif 000022
【図２６】
2005254517.tif 000023
【図２７】
2005254517.tif 000024
【図２８】
2005254517.tif 000025
【図９】
2005254517.tif 000026
【図１５】
2005254517.tif 000027
【図１９】
2005254517.tif 000028
【図２０】
2005254517.tif 000029
【図２５】
2005254517.tif 000030
【図２９】
2005254517.tif 000031